(57)【特許請求の範囲】
【請求項１】
共通の時分割複信（ＴＤＤ）サブフレーム構成を有する少なくとも２つのセルを備えるセルクラスタを、前記セルクラスタの中の１つのセルと第１の結合損失しきい値より低い前記セルクラスタの中の少なくとも他のセルとの間に結合損失を有する前記セルクラスタの中の各セルに基づいて形成することと、
前記セルクラスタの前記少なくとも２つのセルの中から少なくとも１つの分離セルを識別することと、前記少なくとも１つの分離セルが前記少なくとも１つの分離セルと第２の結合損失しきい値よりも低い前記セルクラスタの他のセルの各々との間の前記結合損失に基づいて識別され、前記第２の結合損失しきい値は前記第１の結合損失しきい値とは異なる、
少なくとも第１のセルクラスタと第２のセルクラスタとを形成するために、前記少なくとも１つの分離セルに基づいて前記セルクラスタを分離することと、ここにおいて、前記第１のセルクラスタは、前記分離セルと、前記セルクラスタの中に備える前記少なくとも２つのセルの中からの少なくとも１つの追加のセルとを備える、
前記第１のセルクラスタのための第１のＴＤＤサブフレーム構成と前記第２のセルクラスタのための第２のＴＤＤサブフレーム構成とを設定することと、
前記第１のＴＤＤサブフレーム構成に基づいて前記第１のセルクラスタから通信を送受信することと、
前記第２のＴＤＤサブフレーム構成に基づいて前記第２のセルクラスタから通信を送信すること及び通信を受信することと、
を備える、ワイヤレス通信の方法。
【請求項２】
前記第２のＴＤＤサブフレーム構成の１つ以上のアップリンクサブフレームと共存する、前記第１のＴＤＤサブフレーム構成の１つ以上のダウンリンクサブフレームを非アンカーサブフレームとして指定することと、
前記分離セルの前記非アンカーサブフレームの前記１つ以上のダウンリンクサブフレームをオールモストブランクサブフレーム（ＡＢＳ）として構成することとをさらに備える、請求項１に記載の方法。
【請求項３】
前記分離セルの前記ＴＤＤサブフレーム構成が、アップリンクサブフレームよりも多いダウンリンクサブフレームを備える、請求項２に記載の方法。
【請求項４】
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定することと、
前記第２のＴＤＤサブフレーム構成の１つ以上のダウンリンクサブフレームと共存する、前記第１のＴＤＤサブフレーム構成の１つ以上のダウンリンクサブフレームを前記アンカーサブフレームとして指定することと、
少なくとも、前記分離セルの前記アンカーサブフレーム中の前記１つ以上のアップリンクサブフレームのうちの１つにアップリンク制御信号をシフトするか、または前記分離セルの前記アンカーサブフレーム中の前記１つ以上のダウンリンクサブフレームのうちの１つにダウンリンク制御信号をシフトすることとをさらに備える、請求項１に記載の方法。
【請求項５】
前記分離セルの前記ＴＤＤサブフレーム構成が、ダウンリンクサブフレームよりも多いアップリンクサブフレームを備える、請求項４に記載の方法。
【請求項６】
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定することと、
前記分離セルへの１つ以上のアップリンク送信をスケジュールすることと、前記１つ以上のアップリンク送信が前記アンカーサブフレームの前記１つ以上のアップリンクサブフレームに限定される、をさらに備える、請求項１に記載の方法。
【請求項７】
前記少なくとも１つの分離セルとマクロセルとの間の結合損失が第３のしきい値よりも大きいかどうかを判断することと、
前記結合損失が前記第３のしきい値よりも大きいとき、前記少なくとも１つの分離セルによって使用されるキャリア周波数を変更することとをさらに備える、請求項１に記載の方法。
【請求項８】
前記結合損失が前記第３のしきい値よりも大きいとき、前記第１のＴＤＤサブフレーム構成が前記第１のセルクラスタのために設定され、前記第２のＴＤＤサブフレーム構成が前記第２のセルクラスタのために設定される、請求項７に記載の方法。
【請求項９】
前記分離セルの１つ以上のアップリンクサブフレームで１つ以上のアップリンク送信をスケジュールすることを控えることと、
前記分離セルの１つ以上のダウンリンクサブフレームで送信することを控えることとをさらに備える、請求項１に記載の方法。
【請求項１０】
共通の時分割複信（ＴＤＤ）サブフレーム構成を有する少なくとも２つのセルを備えるセルクラスタを、前記セルクラスタの中の１つのセルと第１の結合損失しきい値より低い前記セルクラスタの中の少なくとも他のセルとの間に結合損失を有する前記セルクラスタの中の各セルに基づいて形成するための手段と、
前記セルクラスタの前記少なくとも２つのセルの間から少なくとも１つの分離セルを識別するための手段と、前記少なくとも１つの分離セルが前記少なくとも１つの分離セルと第２の結合損失しきい値よりも低い前記セルクラスタの他のセルの各々との間の前記結合損失に基づいて識別され、前記第２の結合損失しきい値は前記第１の結合損失しきい値とは異なる、
少なくとも第１のセルクラスタと第２のセルクラスタとを形成するために、前記少なくとも１つの分離セルに基づいて前記セルクラスタを分離するための手段と、ここにおいて、前記第１のセルクラスタは、前記分離セルと、前記セルクラスタの中に備える前記少なくとも２つのセルの間からの少なくとも１つの追加のセルとを備える、
前記第１のセルクラスタのための第１のＴＤＤサブフレーム構成と前記第２のセルクラスタのための第２のＴＤＤサブフレーム構成とを設定するための手段と、
前記第１のＴＤＤサブフレーム構成に基づいて前記第１のセルクラスタから通信を送受信するため、及び前記第２のＴＤＤサブフレーム構成に基づいて前記第２のセルクラスタから通信を送信するため及び通信を受信するための手段と、
を備える、ワイヤレス通信のための装置。
【請求項１１】
前記第２のＴＤＤサブフレーム構成の１つ以上のアップリンクサブフレームと共存する前記第１のＴＤＤサブフレーム構成の１つ以上のダウンリンクサブフレームを、非アンカーサブフレームとして、指定するための手段と、
前記分離セルの前記非アンカーサブフレームの前記１つ以上のダウンリンクサブフレームをオールモストブランクサブフレーム（ＡＢＳ）として構成するための手段とを更に備える、請求項１０に記載の装置。
【請求項１２】
前記分離セルの前記ＴＤＤサブフレーム構成が、アップリンクサブフレームよりも多いダウンリンクサブフレームを備える、請求項１１に記載の装置。
【請求項１３】
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定するための手段と、
前記第２のＴＤＤサブフレーム構成の１つ以上のダウンリンクサブフレームと共存する、前記第１のＴＤＤサブフレーム構成の１つ以上のダウンリンクサブフレームを前記アンカーサブフレームとして指定するための手段と、
少なくとも、前記分離セルの前記アンカーサブフレーム中の前記１つ以上のアップリンクサブフレームのうちの１つにアップリンク制御信号をシフトするか、または前記分離セルの前記アンカーサブフレーム中の前記１つ以上のダウンリンクサブフレームのうちの１つにダウンリンク制御信号をシフトするための手段とをさらに備える、請求項１０に記載の装置。
【請求項１４】
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定するための手段と、
前記分離セルへの１つ以上のアップリンク送信をスケジュールするための手段と、前記１つ以上のアップリンク送信が前記アンカーサブフレームの前記１つ以上のアップリンクサブフレームに限定される、をさらに備える、請求項１０に記載の装置。
【請求項１５】
前記分離セルの前記ＴＤＤサブフレーム構成が、ダウンリンクサブフレームよりも多いアップリンクサブフレームを備える、請求項１４に記載の装置。
【請求項１６】
前記少なくとも１つの分離セルとマクロセルとの間の結合損失が第３のしきい値よりも大きいかどうかを判断するための手段と、
前記結合損失が前記第３のしきい値よりも大きいとき、前記少なくとも１つの分離セルによって使用されるキャリア周波数を変更するための手段とをさらに備える、請求項１０に記載の装置。
【請求項１７】
前記結合損失が前記第３のしきい値よりも大きいとき、前記第１のＴＤＤサブフレーム構成が前記第１のセルクラスタのために設定され、前記第２のＴＤＤサブフレーム構成が前記第２のセルクラスタのために設定される、請求項１６に記載の装置。
【請求項１８】
前記分離セルの１つ以上のアップリンクサブフレームで１つ以上のアップリンク送信をスケジュールすることを控えるための手段と、
前記分離セルの１つ以上のダウンリンクサブフレームで送信することを控えるための手段とをさらに備える、請求項１０に記載の装置。
【請求項１９】
共通の時分割複信（ＴＤＤ）サブフレーム構成を有する少なくとも２つのセルを備えるセルクラスタを、前記セルクラスタの中の１つのセルと第１の結合損失しきい値より低い前記セルクラスタの中の少なくとも他のセルとの間に結合損失を有する前記セルクラスタの中の各セルに基づいて形成することと、
前記セルクラスタの前記少なくとも２つのセルの間から少なくとも１つの分離セルを識別することと、前記少なくとも１つの分離セルが前記少なくとも１つの分離セルと第２の結合損失しきい値より低い前記セルクラスタの他のセルの各々との間の前記結合損失に基づいて識別され、前記第２の結合損失しきい値は前記第１の結合損失しきい値とは異なる、
少なくとも第１のセルクラスタと第２のセルクラスタとを形成するために、前記少なくとも１つの分離セルに基づいて前記セルクラスタを分離することと、ここにおいて、前記第１のセルクラスタは前記分離セルと、前記セルクラスタの中に備える前記少なくとも２つのセルの間からの少なくとも１つの追加のセルを備える、
前記第１のセルクラスタのための第１のＴＤＤサブフレーム構成と前記第２のセルクラスタのための第２のＴＤＤサブフレーム構成とを設定することと、
前記第１のＴＤＤサブフレーム構成に基づいて前記第１のセルクラスタから通信を送受信することと、
前記第２のＴＤＤサブフレーム構成に基づいて前記第２のセルクラスタから通信を送信すること及び通信を受信することと、
を行うように構成された処理システムを備える、ワイヤレス通信のための装置。
【請求項２０】
前記処理システムが、
前記第２のＴＤＤサブフレーム構成の１つ以上のアップリンクサブフレームと共存する、前記第１のＴＤＤサブフレーム構成の１つ以上のダウンリンクサブフレームを非アンカーサブフレームとして指定することと、
前記分離セルの前記非アンカーサブフレームの前記１つ以上のダウンリンクサブフレームをオールモストブランクサブフレーム（ＡＢＳ）として構成することとを行うようにさらに構成された、請求項１９に記載の装置。
【請求項２１】
前記分離セルの前記ＴＤＤサブフレーム構成が、アップリンクサブフレームよりも多いダウンリンクサブフレームを備える、請求項２０に記載の装置。
【請求項２２】
前記処理システムが、
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定することと、
前記第２のＴＤＤサブフレーム構成の１つ以上のダウンリンクサブフレームと共存する、前記第１のＴＤＤサブフレーム構成の１つ以上のダウンリンクサブフレームを前記アンカーサブフレームとして指定することと、
少なくとも、前記分離セルの前記アンカーサブフレーム中の前記１つ以上のアップリンクサブフレームのうちの１つにアップリンク制御信号をシフトするか、または前記分離セルの前記アンカーサブフレーム中の前記１つ以上のダウンリンクサブフレームのうちの１つにダウンリンク制御信号をシフトすることとを行うようにさらに構成された、請求項１９に記載の装置。
【請求項２３】
前記処理システムは、
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定することと、
前記分離セルへの１つ以上のアップリンク送信をスケジュールすることと、を行うようにさらに構成され、前記１つ以上のアップリンク送信が前記アンカーサブフレームの前記１つ以上のアップリンクサブフレームに限定される、請求項１９に記載の装置。
【請求項２４】
前記分離セルの前記ＴＤＤサブフレーム構成が、ダウンリンクサブフレームよりも多いアップリンクサブフレームを備える、請求項２３に記載の装置。
【請求項２５】
前記処理システムは、
前記少なくとも１つの分離セルとマクロセルとの間の結合損失が第３のしきい値よりも大きいかどうかを判断することと、
前記結合損失が前記第３のしきい値よりも大きいとき、前記少なくとも１つの分離セルによって使用されるキャリア周波数を変更することとを行うようにさらに構成された、請求項１９に記載の装置。
【請求項２６】
前記結合損失が前記第３のしきい値よりも大きいとき、前記第１のＴＤＤサブフレーム構成が前記第１のセルクラスタのために設定され、前記第２のＴＤＤサブフレーム構成が前記第２のセルクラスタのために設定される、請求項２５に記載の装置。
【請求項２７】
前記処理システムが、
前記分離セルの１つ以上のアップリンクサブフレームで１つ以上のアップリンク送信をスケジュールすることを控えることと、
前記分離セルの１つ以上のダウンリンクサブフレームで送信することを控えることとを行うようにさらに構成された、請求項１９に記載の装置。
【請求項２８】
共通の時分割複信（ＴＤＤ）サブフレーム構成を有する少なくとも２つのセルを備えるセルクラスタを、前記セルクラスタの中の１つのセルと第１の結合損失しきい値より低い前記セルクラスタの中の少なくとも他のセルとの間に結合損失を有する前記セルクラスタの中の各セルに基づいて形成することと、
前記セルクラスタの前記少なくとも２つのセルの間から少なくとも１つの分離セルを識別することと、前記少なくとも１つの分離セルが、前記少なくとも１つの分離セルと第２の結合損失しきい値より低い前記セルクラスタの他のセル中の各々との間の前記結合損失に基づいて識別され、前記第２の結合損失しきい値は前記第１の結合損失しきい値とは異なる、
少なくとも第１のセルクラスタと第２のセルクラスタとを形成するために、前記少なくとも１つの分離セルに基づいて前記セルクラスタを分離することと、ここにおいて、前記第１のセルクラスタは、前記分離セルと、前記セルクラスタの中に備える前記少なくとも２つのセルの間からの少なくとも１つの追加のセルとを備える、
前記第１のセルクラスタのための第１のＴＤＤサブフレーム構成と前記第２のセルクラスタのための第２のＴＤＤサブフレーム構成とを設定することと、
前記第１のＴＤＤサブフレーム構成に基づいて前記第１のセルクラスタから通信を送受信することと、
前記第２のＴＤＤサブフレーム構成に基づいて前記第２のセルクラスタから通信を送信すること及び通信を受信することと、
を行うためのコードを備えるコンピュータ可読記憶媒体。
【請求項２９】
前記コンピュータ可読記憶媒体が、
前記第２のＴＤＤサブフレーム構成の１つ以上のアップリンクサブフレームと共存する、前記第１のＴＤＤサブフレーム構成の１つ以上のダウンリンクサブフレームを非アンカーサブフレームとして指定することと、
前記分離セルの前記非アンカーサブフレームの前記１つ以上のダウンリンクサブフレームをオールモストブランクサブフレーム（ＡＢＳ）として構成することとを行うためのコードをさらに備える、請求項２８に記載のコンピュータ可読記憶媒体。
【請求項３０】
前記分離セルの前記ＴＤＤサブフレーム構成が、アップリンクサブフレームよりも多いダウンリンクサブフレームを備える、請求項２９に記載のコンピュータ可読記憶媒体。
【請求項３１】
前記コンピュータ可読記憶媒体が、
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定することと、
前記第２のＴＤＤサブフレーム構成の１つ以上のダウンリンクサブフレームと共存する、前記第１のＴＤＤサブフレーム構成の１つ以上のダウンリンクサブフレームを前記アンカーサブフレームとして指定することと、
少なくとも、前記分離セルの前記アンカーサブフレーム中の前記１つ以上のアップリンクサブフレームのうちの１つにアップリンク制御信号をシフトするか、または前記分離セルの前記アンカーサブフレーム中の前記１つ以上のダウンリンクサブフレームのうちの１つにダウンリンク制御信号をシフトすることとを行うためのコードをさらに備える、請求項２８に記載のコンピュータ可読記憶媒体。
【請求項３２】
前記コンピュータ可読記憶媒体は、
前記第２のＴＤＤサブフレーム構成の１つ以上のアップリンクサブフレームと共存する、前記第１のＴＤＤサブフレーム構成の１つ以上のアップリンクサブフレームをアンカーサブフレームとして指定することと、
前記分離セルへの１つ以上のアップリンク送信をスケジュールすることと、を行うためのコードをさらに備え、前記１つ以上のアップリンク送信が前記アンカーサブフレームの前記１つ以上のアップリンクサブフレームに限定される、請求項２８に記載のコンピュータ可読記憶媒体。
【請求項３３】
前記分離セルの前記ＴＤＤサブフレーム構成が、ダウンリンクサブフレームよりも多いアップリンクサブフレームを備える、請求項２８に記載のコンピュータ可読記憶媒体。
【請求項３４】
前記コンピュータ可読記憶媒体は、
前記少なくとも１つの分離セルとマクロセルとの間の結合損失が第３のしきい値よりも大きいかどうかを判断することと、
前記結合損失が前記第３のしきい値よりも大きいとき、前記少なくとも１つの分離セルによって使用されるキャリア周波数を変更することとを行うためのコードをさらに備える、請求項２８に記載のコンピュータ可読記憶媒体。
【請求項３５】
前記結合損失が前記第３のしきい値よりも低いとき、前記第１のＴＤＤサブフレーム構成が前記第１のセルクラスタのために設定され、前記第２のＴＤＤサブフレーム構成が前記第２のセルクラスタのために設定される、請求項３４に記載のコンピュータ可読記憶媒体。
【請求項３６】
前記コンピュータ可読記憶媒体が、
前記分離セルの１つ以上のアップリンクサブフレームで１つ以上のアップリンク送信をスケジュールすることを控えることと、
前記分離セルの１つ以上のダウンリンクサブフレームで送信することを控えることとを行うためのコードをさらに備える、請求項２８に記載のコンピュータ可読記憶媒体。
【発明の詳細な説明】
【技術分野】
【０００１】
関連出願の相互参照
[0001]  本出願は、その全体が参照により本明細書に明確に組み込まれる、２０１２年９月１９日に出願された「Method and Apparatus for Separating a Cell Cluster for LTE（登録商標） EIMTA Interference Mitigation」と題する国際出願第ＰＣＴ／ＣＮ２０１２／０８１５９５号の利益を主張する。
【０００２】
[0002]  本開示は、一般に通信システムに関し、より詳細には、ＬＴＥ  ｅＩＭＴＡ干渉緩和のためにセルクラスタ（cell cluster）を分離するための方法および装置に関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、セルクラスタを２つ以上のセルクラスタに分離するための方法、コンピュータプログラム製品、および装置が提供される。セルクラスタは、時分割複信（ＴＤＤ）サブフレーム構成フレキシビリティを可能にしながらセル間の干渉を緩和するために、２つ以上のセルクラスタに分離され得る。本方法は、セルクラスタ中の少なくとも１つの分離セル（separating cell）を識別し得、セルクラスタは、共通のＴＤＤサブフレーム構成を有する少なくとも２つのセルを備え、ここで、セルクラスタ中の１つのセルとセルクラスタ中の少なくとも別のセルとの間の結合損失（coupling loss）が、あらかじめ定義されたしきい値よりも低い。本方法は、少なくとも第１のセルクラスタと第２のセルクラスタとを形成するために、少なくとも１つの分離セルに基づいてセルクラスタを分離し得、第１のセルクラスタのための第１のＴＤＤサブフレーム構成と第２のセルクラスタのための第２のＴＤＤサブフレーム構成とを設定し得る。
【図面の簡単な説明】
【０００６】
【図１】[0006]  ネットワークアーキテクチャの一例を示す図。
【図２】[0007]  アクセスネットワークの一例を示す図。
【図３】[0008]  ＬＴＥにおけるＤＬフレーム構造の一例を示す図。
【図４】[0009]  ＬＴＥにおけるＵＬフレーム構造の一例を示す図。
【図５】[0010]  ユーザプレーンおよび制御プレーンのための無線プロトコルアーキテクチャの一例を示す図。
【図６】[0011]  アクセスネットワーク中の発展型ノードＢおよびユーザ機器の一例を示す図。
【図７】[0012]  セルのためのフレキシブルなＴＤＤ  ＤＬ／ＵＬ構成の適用を示す図。
【図８】[0013]  動的ＴＤＤ  ＤＬ／ＵＬ構成の適用により生じ得る干渉を示す図。
【図９】[0014]  ネットワークにおける干渉の緩和を示す図。
【図１０】[0015]  セルクラスタを含む図。
【図１１】[0016]  分離セルに基づく、セルクラスタの例示的な分離を示す図。
【図１２】[0017]  第１のセルクラスタと第２のセルクラスタとのＴＤＤサブフレーム構成を示す図。
【図１３】[0018]  第１のセルクラスタと第２のセルクラスタとのＴＤＤサブフレーム構成を示す図。
【図１４】[0019]  分離セルに基づく、セルクラスタの例示的な分離を示す図。
【図１５】[0020]  セルクラスタの分離を示す図。
【図１６】[0021]  セルクラスタの分離を示す図。
【図１７】[0022]  ワイヤレス通信の方法のフローチャート。
【図１８】[0023]  ワイヤレス通信の方法のフローチャート。
【図１９】[0024]  ワイヤレス通信の方法のフローチャート。
【図２０】[0025]  ワイヤレス通信の方法のフローチャート。
【図２１】[0026]  例示的な装置中の異なるモジュール／手段／構成要素間のデータフローを示す概念データフロー図。
【図２２】[0027]  処理システムを採用する装置のためのハードウェア実装形態の一例を示す図。
【発明を実施するための形態】
【０００７】
[0028]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0029]  次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【０００９】
[0030]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0031]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含まれるべきである。
【００１１】
[0032]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0033]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0034]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１４】
[0035]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１５】
[0036]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0037]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0038]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0039]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0040]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0041]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0042]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0043]  初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0044]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0045]  ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２５】
[0046]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２６】
[0047]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２７】
[0048]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0049]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００２９】
[0050]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３０】
[0051]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0052]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0053]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
[0054]  ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0055]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0056]  ＬＴＥ通信規格は、ＦＤＤフレーム構造とＴＤＤフレーム構造の両方をサポートする。ダウンリンクおよびアップリンクの送信タイムラインは無線フレームの単位に区分され得、各無線フレームは、０〜９のインデックスをもつ１０個のサブフレームに区分され得る。ＬＴＥは、ＴＤＤのためのいくつかのアップリンクダウンリンク構成をサポートする。すべてのアップリンクダウンリンク構成について、サブフレーム０および５はダウンリンクのために使用され、サブフレーム２はアップリンクのために使用される。サブフレーム３、４、７、８および９は、それぞれアップリンクダウンリンク構成に応じてダウンリンクまたはアップリンクのために使用され得る。サブフレーム１は、ダウンリンク制御チャネルならびにデータ送信のために使用されるダウンリンクパイロットタイムスロット（ＤｗＰＴＳ：Downlink Pilot Time Slot）と、無送信のガード期間（ＧＰ：Guard Period）と、ランダムアクセスチャネル（ＲＡＣＨ：random access channel）またはサウンディング基準信号（ＳＲＳ：sounding reference signal）のいずれかのために使用されるアップリンクパイロットタイムスロット（ＵｐＰＴＳ：Uplink Pilot Time Slot）とから構成される３つの特殊フィールドを含む。サブフレーム６は、アップリンクダウンリンク構成に応じて、ＤｗＰＴＳのみ、またはすべての３つの特殊フィールド、またはダウンリンクサブフレームを含み得る。ＤｗＰＴＳ、ＧＰおよびＵｐＰＴＳは、様々なサブフレーム構成について様々な持続時間を有し得る。ＴＤＤの場合、ダウンリンクのために使用される各サブフレームはダウンリンクサブフレームと呼ばれることがあり、アップリンクのために使用される各サブフレームはアップリンクサブフレームと呼ばれることがある。
【００３６】
[0057]  規格の実装に対する変更は、実際のトラフィックの必要に基づいてＴＤＤ  ＤＬ／ＵＬサブフレーム構成を動的に適応させる可能性を含む。短い持続時間中に、ダウンリンク上の大きいデータバーストが必要とされる場合、ワイヤレス装置は、それの構成を、たとえば、構成＃１（６ＤＬ：４ＵＬ）から構成＃５（９ＤＬ：１ＵＬ）に変更し得る。ＴＤＤ構成の適応は６４０ｍｓよりも遅くならないことが予想される。極端な場合、適応は１０ｍｓ程度に高速になり得る。２つ以上のセルが、異なる重複するダウンリンクサブフレームおよびアップリンクサブフレームを有するとき、隣接するセルを異なるサブフレームアップリンクダウンリンク構成間で動的に切り替えさせると、ダウンリンクとアップリンクの両方に干渉を生じ得る。
【００３７】
[0058]  図７は、セル（たとえば、ピコセルまたはマクロセル）のためのフレキシブルなＴＤＤ  ＤＬ／ＵＬ構成の適用を示す図７００である。図７において、垂直軸はＤＬ／ＵＬトラフィック負荷を表し、水平軸は時間を表す。図７に示されているように、セルに適用されたＴＤＤ  ＤＬ／ＵＬ構成は様々な時間において変更され得る。たとえば、図７を参照すると、初めに、低いＤＬトラフィック負荷に適応するために構成１が適用され得、その後、高いＤＬトラフィック負荷に適応するために構成２が適用され得る。たとえば、構成２はＤＬヘビーＴＤＤ構成であり得る。
【００３８】
[0059]  図８は、動的ＴＤＤ  ＤＬ／ＵＬ構成の適用により生じ得る干渉を示す図８００である。図８に示されているように、マクロＵＥ（ＭＵＥ）８０８はマクロｅＮＢ（ＭｅＮＢ）８０２と通信しており、ピコＵＥ（ＰＵＥ）８１０はピコｅＮＢ（ＰｅＮＢ）８０４と通信しており、ＰＵＥ８１２はＰｅＮＢ８０６と通信している。図８において、実線は所望の信号を示し、破線は干渉信号を示す。たとえば、ＰｅＮＢ８０４がＰＵＥ８１０に信号を送ったとき、ＰＵＥ８１０に送られた信号はＭｅＮＢ８０２とＰｅＮＢ８０６とへの干渉を引き起こし得る。別の例として、ＭＵＥ８０８がＭｅＮＢ８０２に信号を送ったとき、ＭｅＮＢ８０２に送られた信号はＰＵＥ８１０への干渉を引き起こし得る。
【００３９】
[0060]  ノード（たとえば、マクロセルおよび／またはピコセル）のＴＤＤ  ＵＬ／ＤＬ構成は、ノードの異なるＵＬ／ＤＬトラフィック負荷により良く一致するように再構成され得る。しかしながら、そのような再構成はＵＬ−ＤＬ干渉管理を必要とし得る。ＵＬ−ＤＬ干渉を緩和するための１つの手法は、たとえば、しきい値を下回る結合損失を有するｅＮＢが、同じＴＤＤ構成を使用して送信することを強制される、セルクラスタリング方法である。屋外ピコセル対屋外ピコセルシナリオでは、２つのピコセル間の結合損失が、あらかじめ定義されたしきい値「Ｘ」よりも小さい場合、ピコセルはセルクラスタとしてグループ化される。そのようなセルクラスタ内のピコセルは、サブフレーム内で同じ送信方向を有するように構成される。屋外ピコセル対マクロセルシナリオでは、２つのピコセル間の結合損失が、あらかじめ定義されたしきい値「Ｘ」よりも小さい場合、ピコセルはセルクラスタとしてグループ化される。そのようなセルクラスタ内のピコセルは、サブフレーム内で同じ送信方向を有するように構成される。セルクラスタの任意のピコセルと任意のマクロセルとの間の結合損失が、あらかじめ定義されたしきい値「Ｙ」よりも小さい場合、セルクラスタのすべてのピコセルはマクロセルの送信方向に関連する。
【００４０】
[0061]  図９は、ＴＤＤ  ＵＬ／ＤＬ構成フレキシビリティを犠牲にしての、ネットワークにおける干渉の緩和を示す図９００である。図９は、マクロセル１のマクロセルカバレージエリア９０２と、マクロセル２のマクロセルカバレージエリア９０４と、それぞれのピコセル１、２、３、４、５、６、および７のピコセルカバレージエリア９０６、９０８、９１０、９１６、９１２、９１４、および９１８とを含む。図９の構成では、ピコセル１、２、３、５、および６（すなわち、破線の境界をもつセル）は同じセルクラスタ中にある。図９に示されているように、マクロセル１および２ならびにピコセル４および７は「ＤＳＵＵＤ」ＴＤＤ構成で構成され、ピコセル１、２、３、５、および６は「ＤＳＵＤＤ」ＴＤＤ構成で構成される。
【００４１】
[0062]  図９の構成では、干渉は、ＵＬ／ＤＬ構成フレキシビリティを犠牲にして緩和され得る。すなわち、同じセルクラスタ中のセルが同じＵＬ／ＤＬ送信方向を有するように構成されるとき、干渉は緩和される。しかしながら、セル間のサブフレームのＵＬ／ＤＬ方向を整合させることにより、その個々のセル内の変化するＵＬ／ＤＬ要求に適応する個々のセルの能力が低減する。たとえば、ピコセル間のしきい値が９０ｄＢであり、ピコセルとマクロセルとの間のしきい値が７０ｄＢである場合、同じセルクラスタ中にあるべきピコセル１、２、３、５、および６について、ピコセル１、２、３、５、および６間の結合損失は９０ｄｂを下回らなければならないであろう。同様に、同じクラスタ中にあるべきマクロセル１およびピコセル４について、それらの間の結合損失は７０ｄｂよりも小さくなければならないであろう。分離しきい値を調整することによって、それぞれ、セル間の干渉の増加または減少と引き換えにセル間の構成フレキシビリティを増加または減少させることが可能である。
【００４２】
[0063]  （「ＩｏＴ」とも呼ばれる）分離しきい値は、許容分離しきい値に基づいて判断され得る。たとえば、ｅＮＢ−ｅＮＢ干渉によって与えられる分離しきい値は、以下の式によって判断され得る。
【数１】
0006434087.tif 000002
【００４３】
上式で、Ｐｔｘは干渉ｅＮＢの送信電力を表し、ｃｏｕｐｌｉｎｇ＿ｌｏｓｓは、経路損失、アンテナ利得、および／または被干渉ｅＮＢと干渉ｅＮＢとの間のシャドーイング損失（shadowing loss）に基づく値を表し、ｔｈｅｒｍａｌ＿ｎｏｉｓｅは被干渉ｅＮＢにおける熱雑音を表す。したがって、許容分離しきい値がＩｏＴ＿ａとして表される場合、分離しきい値は、以下の式によって判断される値に設定され得る。
【数２】
0006434087.tif 000003
【００４４】
[0064]  図１０は、セルクラスタ１００２および１００４を含む図１０００である。図１０に示されているように、セルクラスタ１００２は、セルＰ１、Ｐ２、Ｐ３、およびＰ４を含む。たとえば、セルＰ１、Ｐ２、Ｐ３、およびＰ４は、それらのセルの各々が、近隣セルに関する結合損失しきい値など、分離しきい値を下回る場合、同じセルクラスタ中に含まれ得る。図１０にさらに示されているように、セルクラスタ１００４は、セルＰ５、Ｐ６、Ｐ７、およびＰ８を含む。たとえば、セルＰ５、Ｐ６、Ｐ７、およびＰ８は、それらのセルの各々が、近隣セルに関する結合損失しきい値など、分離しきい値を下回る場合、同じセルクラスタ中に含まれ得る。
【００４５】
[0065]  セルクラスタ１００２において、セルＰ１、Ｐ２、Ｐ３、およびＰ４の各々は共通のＴＤＤサブフレーム構成を有し得る。さらに、セルクラスタ１００２中の１つのセルとセルクラスタ１００２中の少なくとも別のセルとの間の結合損失は、あらかじめ定義されたしきい値よりも低くなり得る。セルクラスタ１００４において、セルＰ５、Ｐ６、Ｐ７、およびＰ８の各々は共通のＴＤＤサブフレーム構成を有し得る。さらに、セルクラスタ１００４中の１つのセルとセルクラスタ１００４中の少なくとも別のセルとの間の結合損失は、あらかじめ定義されたしきい値よりも低くなり得る。セル間の結合損失は、セルからのフィードバックを介してネットワーク（たとえば、ｅＮＢ）によって測定および／または受信され得る。
【００４６】
[0066]  セルクラスタ１００２および１００４の各々において、少なくとも１つの分離セルが識別され得る。一構成では、（１つまたは複数の）分離セルは、少なくとも、対応するセルクラスタ中のセル間の結合損失に基づいて識別され得る。たとえば、（１つまたは複数の）分離セルは、しきい値よりも低い他のセルに関する結合損失を有し得る。たとえば、セルクラスタ１００２において、セルＰ１は分離セルとして識別され得る。セルクラスタ１００４において、セルＰ５およびＰ７は分離セルとして識別され得る。次いで、セルクラスタ（たとえば、セルクラスタ１００２またはセルクラスタ１００４）は、図１１に示すように２つ以上のセルクラスタを形成するために、（１つまたは複数の）分離セルに基づいて分離され得る。
【００４７】
[0067]  図１１は、分離セルＰ１に基づく、セルクラスタ１００２の例示的な分離を示す図１１００である。図１１に示されているように、分離セルＰ１は、セルクラスタ１１０４、１１０６、および１１０８を形成するためにセルクラスタ１００２から分離され得る。たとえば、セルクラスタ１１０４はセルＰ２を含み得、セルクラスタ１１０６はセルＰ４を含み得、セルクラスタ１１０８は分離セルＰ１とセルＰ３とを含み得る。一態様では、第１のＴＤＤサブフレーム構成がセルクラスタ１１０４のために設定され得、第２のＴＤＤサブフレーム構成がセルクラスタ１１０６のために設定され得、第３のＴＤＤサブフレーム構成がセルクラスタ１１０８のために設定され得る。一構成では、第１、第２および第３のサブフレーム構成のうちの少なくとも１つは、それらのそれぞれのセルクラスタ（たとえば、セルクラスタ１１０４、１１０６、および１１０８）中のセルのためのより大きいＵＬ／ＤＬフレキシビリティを可能にするために異なり得る。
【００４８】
[0068]  図１２は、第１のセルクラスタ１２０２と第２のセルクラスタ１２０４とのＴＤＤサブフレーム構成を示す図１２００である。図１２の構成では、第１のセルクラスタ１２０２および第２のセルクラスタ１２０４は、セル１、２、および３を含むセルクラスタ中の分離セルとしてセル２を識別することによって、およびそのセルクラスタからセル３とともにセル２を分離することによって形成され得る。したがって、第１のセルクラスタ１２０２はセル１を含み得、第２のセルクラスタ１２０４はセル２および３を含み得る。図１２に示されているように、第１のセルクラスタ１２０２は「ＤＳＵＵＤ」ＴＤＤサブフレーム構成で構成され得、分離セルを含む第２のセルクラスタ１２０４は、「ＤＳＵＤＤ」ＴＤＤサブフレーム構成など、アップリンクサブフレームよりも多いダウンリンクサブフレームを含むダウンリンクヘビーＴＤＤサブフレーム構成で構成され得る。
【００４９】
[0069]  ダウンリンクサブフレームとアップリンクサブフレームとが共存する、セル１、２、および３のサブフレームは、非アンカーサブフレームに指定され得、ダウンリンクサブフレームとアップリンクサブフレームとが共存しない、セル１、２、および３のサブフレームは、アンカーサブフレームに指定され得る。たとえば、図１２を参照すると、サブフレーム（ＳＦ）「ＳＦ０」、「ＳＦ１」、「ＳＦ２」、および「ＳＦ４」はアンカーサブフレームに指定され得、サブフレーム「ＳＦ３」は非アンカーサブフレームに指定され得る。
【００５０】
[0070]  一構成では、近隣セルへの干渉の影響を最小限に抑えるために、分離セル（たとえば、セル２）の非アンカーサブフレーム（たとえば、ＳＦ３）のダウンリンクサブフレームはオールモストブランクサブフレーム（ＡＢＳ：almost blank subframe）として構成され得る。この手法は、異なる送信方向をもつサブフレーム上の隣接する近隣セルへの分離セルからの干渉を低減する。
【００５１】
[0071]  図１３は、第１のセルクラスタ１３０２と第２のセルクラスタ１３０４とのＴＤＤサブフレーム構成を示す図１３００である。図１３の構成では、第１のセルクラスタ１３０２および第２のセルクラスタ１３０４は、セル１、２、および３を含むセルクラスタ中の分離セルとしてセル２を識別することによって、およびそのセルクラスタからセル３とともにセル２を分離することによって形成され得る。したがって、第１のセルクラスタ１３０２はセル１を含み得、第２のセルクラスタ１３０４はセル２および３を含み得る。図１３に示されているように、第１のセルクラスタ１３０２は「ＤＳＵＤＤ」ＴＤＤサブフレーム構成で構成され得、分離セルを含む第２のセルクラスタ１３０４は、「ＤＳＵＵＤ」ＴＤＤサブフレーム構成など、ダウンリンクサブフレームよりも多いアップリンクサブフレームを含むアップリンクヘビーＴＤＤサブフレーム構成で構成され得る。
【００５２】
[0072]  ダウンリンクサブフレームとアップリンクサブフレームとが共存する、セル１、２、および３のサブフレームは、非アンカーサブフレームに指定され得、ダウンリンクサブフレームとアップリンクサブフレームとが共存しない、セル１、２、および３のサブフレームは、アンカーサブフレームに指定され得る。一構成では、図１３を参照すると、近隣セルへの干渉の影響を最小限に抑えるために、アップリンク肯定応答が、分離セル（たとえば、セル２）の非アンカーサブフレーム（たとえば、ＳＦ３）中のアップリンクサブフレームから分離セルのアンカーサブフレーム中のアップリンクサブフレームにシフトされ得る。別の構成では、分離セル（たとえば、セル２）のアンカーサブフレーム中のアップリンクサブフレーム中でのみアップリンク送信がスケジュールされ得る。たとえば、アップリンク肯定応答はアップリンク制御情報（ＵＣＩ：uplink control information）を介してシフトおよび／またはスケジュールされ得る。前に説明したアップリンク肯定応答信号以外の制御信号が分離セルのアンカーサブフレームにシフトされ得ることを理解されたい。他の構成では、ダウンリンク制御信号が分離セルのアンカーサブフレームのダウンリンクサブフレームにシフトされ得る。
【００５３】
[0073]  図１４は、分離セルに基づく、セルクラスタの例示的な分離を示す図１４００である。図１４は、マクロセル１のマクロセルカバレージエリア１４０２と、マクロセル２のマクロセルカバレージエリア１４０４と、それぞれのピコセル１、２、３、４、５、６、および７のピコセルカバレージエリア１４０６、１４０８、１４１０、１４０３、１４１２、１４１４、および１４１６とを含む。図１４の構成では、ピコセル１、２、３、５、および６は同じセルクラスタに属する。図１４に示されているように、マクロセル１および２は、キャリア「Ｆ１」上で通信し得、「ＤＳＵＵＤ」ＴＤＤサブフレーム構成で構成され得、ピコセル１、２、３、５、および６は、キャリア「Ｆ２」上で通信し得、「ＤＳＵＤＤ」ＴＤＤサブフレーム構成で構成され得る。
【００５４】
[0074]  図１４の構成では、ピコセル３は、ピコセル１、２、３、５、および６を含むセルクラスタ中の分離セルとして識別され得る。分離セル（たとえば、ピコセル３）とマクロセル（たとえば、マクロセル１）との間の結合損失がしきい値よりも高い場合、分離セルのキャリアは、分離セルが、セルクラスタ中の残りのセル（たとえば、ピコセル１、２、５、および６）によって使用されるチャネルに隣接するチャネル上で通信し得るように、切り替えられ得る。たとえば、分離セル（たとえば、ピコセル３）のキャリアは、図１４に示されているように「Ｆ２」から「Ｆ１」に切り替えられ得る。図１４にさらに示されているように、分離セルのＴＤＤサブフレーム構成は、より大きいＴＤＤサブフレーム構成フレキシビリティのために変更され得る。たとえば、分離セルのＴＤＤサブフレーム構成は「ＤＳＵＤＤ」から「ＤＳＵＵＤ」に変更され得る。
【００５５】
[0075]  一構成では、分離セルは、少なくとも、対応するセルクラスタ中のセル間の結合損失に基づいてセルクラスタにおいて識別され得る。たとえば、（１つまたは複数の）分離セルは、しきい値よりも高い他のセルに関する結合損失を有し得る。たとえば、分離セルは、第１のセルクラスタと第２のセルクラスタとを形成するためにセルクラスタから分離され得る。第１のＴＤＤサブフレーム構成が第１のセルクラスタ中の（１つまたは複数の）セルのために設定され得、第２のＴＤＤサブフレーム構成が第２のセルクラスタ中の（１つまたは複数の）セルのために設定され得る。一構成では、分離セルは、より大きいＵＬ／ＤＬフレキシビリティを可能にするためにミュートされ得る。たとえば、分離セルの１つまたは複数のアップリンクサブフレーム中で１つまたは複数のアップリンク送信がスケジュールされないことがあり、および／または分離セルの１つまたは複数のダウンリンクサブフレーム中で送信が実行されないことがある。
【００５６】
[0076]  図１５は、セルクラスタの分離を示す図１５００である。図１５に示されているように、セルクラスタ１５０２は、セルＰ１、Ｐ２、Ｐ３、およびＰ４を含む。たとえば、セルＰ１、Ｐ２、Ｐ３、およびＰ４は、同じキャリアを使用して通信するように構成されたピコセルであり得る。図１５の構成では、セルＰ１は分離セルとして識別され得る。図１５に示されているように、分離セル（たとえば、セルＰ１）は、分離セルＰ１とセルＰ３とを含むセルクラスタ１５０８と、セルＰ２を含むセルクラスタ１５０４と、セルＰ４を含むセルクラスタ１５０６とを形成するためにセルクラスタ１５０２から分離され得る。図１５に示されているように、分離セルＰ２を含むセルクラスタ１５０８は、「ＤＳＵＵＤ」ＴＤＤ構成など、アップリンクヘビーＴＤＤ構成を有するように構成され得、セルクラスタ１５０４および１５０６は、「ＤＳＵＤＤ」ＴＤＤ構成を有するように構成され得る。図１５の構成では、セルクラスタ１５０４、１５０６、および１５０８は、同じキャリアを使用して通信し得る。一構成では、近隣セルへの干渉の影響を最小限に抑えるために、アップリンク肯定応答が、上記で説明したように分離セルを含むセルクラスタ１５０８のアンカーサブフレーム中のアップリンクサブフレームにシフトされ得る。別の構成では、上記で説明したように分離セルを含むセルクラスタ１５０８のアンカーサブフレーム中のアップリンクサブフレーム中でのみアップリンク送信がスケジュールされ得る。たとえば、アップリンク肯定応答はＵＣＩを介してシフトおよび／またはスケジュールされ得る。
【００５７】
[0077]  図１６は、セルクラスタの分離を示す図１６００である。図１６に示されているように、セルクラスタ１６０２は、セルＰ１、Ｐ２、Ｐ３、およびＰ４を含む。たとえば、セルＰ１はマクロセルであり得、セルＰ２、Ｐ３、およびＰ４はピコセルであり得る。セルクラスタ１６０２において、セルＰ１は、第１のキャリアを使用して通信するように構成され得、セルＰ２、Ｐ３、およびＰ４は、第２のキャリアを使用して通信するように構成され得る。図１６の構成では、セルＰ１は、少なくとも、対応するセルクラスタ中のセル間の結合損失に基づいて分離セルとして識別され得る。たとえば、分離セルＰ１は、しきい値よりも低い他のセルに関する結合損失を有し得る。
【００５８】
[0078]  図１６に示されているように、分離セル（たとえば、セルＰ１）は、セルＰ２を含むセルクラスタ１６０４と、分離セルＰ１とセルＰ３およびＰ４とを含むセルクラスタ１６０６とを形成するためにセルクラスタ１６０２から分離され得る。図１６に示されているように、分離セルＰ１とセルＰ３およびＰ４とを含むセルクラスタ１６０６は、「ＤＳＵＵＤ」ＴＤＤサブフレーム構成など、同じＴＤＤサブフレーム構成を有するように構成され得、セルＰ２を含むセルクラスタ１６０４は、「ＤＳＵＤＤ」ＴＤＤサブフレーム構成を有するように構成され得る。セルＰ１、Ｐ３、およびＰ４は１つのセルとして扱われ得る。一構成では、セルＰ３および／またはＰ４のキャリアは、セルＰ３および／またはＰ４が、分離セルＰ１と同じキャリア（たとえば、第１のキャリア）を使用して通信するように、切り替えられ得る。一構成では、Ｐ４は、分離セルＰ１およびセルＰ３とは異なる構成を有するように構成され得る。
【００５９】
[0079]  図１７は、ワイヤレス通信の方法のフローチャート１７００である。本方法はｅＮＢによって実行され得る。ステップ１７０２において、ｅＮＢは、セルクラスタ中の少なくとも１つの分離セルを識別する。セルクラスタは、共通のＴＤＤサブフレーム構成を有する少なくとも２つのセルであり得、ここで、セルクラスタ中の１つのセルとセルクラスタ中の少なくとも別のセルとの間の結合損失が、あらかじめ定義されたしきい値よりも低い。一構成では、少なくとも１つの分離セルは、セルのクラスタ中のセル間の結合損失に基づいて識別され得、ここで、セルクラスタからの分離セルの分離がセルクラスタを少なくとも第１のセルクラスタと第２のセルクラスタとに分割する。たとえば、（１つまたは複数の）分離セルは、しきい値よりも低い他のセルに関する結合損失を有し得る。
【００６０】
[0080]  たとえば、図１１を参照すると、セルクラスタ１００２は、セルＰ１、Ｐ２、Ｐ３、およびＰ４を含む。セルクラスタ１００２において、セルＰ１、Ｐ２、Ｐ３、およびＰ４の各々は共通のＴＤＤサブフレーム構成を有し得る。さらに、セルクラスタ１００２中の１つのセルとセルクラスタ１００２中の少なくとも別のセルとの間の結合損失は、あらかじめ定義されたしきい値よりも低くなり得る。たとえば、セルクラスタ１００２において、少なくとも１つの分離セルが識別され得る。一構成では、（１つまたは複数の）分離セルは、少なくとも、対応するセルクラスタ中のセル間の結合損失に基づいて識別され得る。たとえば、セルクラスタ１００２において、他のセルに関するセルＰ１の結合損失がしきい値よりも低いとき、セルＰ１は分離セルとして識別され得る。
【００６１】
[0081]  ステップ１７０４において、ｅＮＢは、少なくとも第１のセルクラスタと第２のセルクラスタとを形成するために、少なくとも１つの分離セルに基づいてセルクラスタを分離する。たとえば、図１１を参照すると、分離セルＰ１は、セルクラスタ１１０４、１１０６、および１１０８を形成するためにセルクラスタ１００２から分離され得る。たとえば、セルクラスタ１１０４はセルＰ２を含み得、セルクラスタ１１０６はセルＰ４を含み得、セルクラスタ１１０８は分離セルＰ１とセルＰ３とを含み得る。
【００６２】
[0082]  ステップ１７０６において、ｅＮＢは、第１のセルクラスタのための第１のＴＤＤサブフレーム構成と第２のセルクラスタのための第２のＴＤＤサブフレーム構成とを設定する。たとえば、図１１を参照すると、第１のＴＤＤサブフレーム構成がセルクラスタ１１０４のために設定され得、第２のＴＤＤサブフレーム構成がセルクラスタ１１０６のために設定され得、第３のＴＤＤサブフレーム構成がセルクラスタ１１０８のために設定され得る。一構成では、第１、第２および第３のＴＤＤサブフレーム構成のうちの少なくとも１つは、それらのそれぞれのセルクラスタ（たとえば、セルクラスタ１１０４、１１０６、および１１０８）中のセルのためのより大きいＵＬ／ＤＬフレキシビリティを可能にするために異なり得る。たとえば、第１および第２のＴＤＤサブフレーム構成は「ＤＳＵＤＤ」ＴＤＤサブフレーム構成であり得、第３のＴＤＤサブフレーム構成は「ＤＳＵＵＤ」ＴＤＤサブフレーム構成であり得る。
【００６３】
[0083]  図１８は、ワイヤレス通信の方法のフローチャート１８００である。本方法はｅＮＢによって実行され得る。ステップ１８０２において、ｅＮＢは、セルクラスタ中の少なくとも１つの分離セルを識別する。セルクラスタは、共通のＴＤＤサブフレーム構成を有する少なくとも２つのセルであり得、ここで、セルクラスタ中の１つのセルとセルクラスタ中の少なくとも別のセルとの間の結合損失が、あらかじめ定義されたしきい値よりも低い。一構成では、少なくとも１つの分離セルは、セルのクラスタ中のセル間の結合損失に基づいて識別され得、ここで、セルクラスタからの分離セルの分離がセルクラスタを少なくとも第１のセルクラスタと第２のセルクラスタとに分割する。たとえば、（１つまたは複数の）分離セルは、しきい値よりも低い他のセルに関する結合損失を有し得る。たとえば、図１２を参照すると、セル２は、セル１、２、および３を含むセルクラスタ中の分離セルとして識別され得、ここで、セル１および３に関するセル２の結合損失はしきい値を下回る。
【００６４】
[0084]  ステップ１８０４において、ｅＮＢは、少なくとも第１のセルクラスタと第２のセルクラスタとを形成するために、少なくとも１つの分離セルに基づいてセルクラスタを分離する。たとえば、セル２は、セル１を含む第１のセルクラスタ１２０２と、セル２および３を含む第２のセルクラスタ１２０４とを形成するために、セル１、２、および３を含むセルクラスタから分離され得る。
【００６５】
[0085]  ステップ１８０６において、ｅＮＢは、第１のセルクラスタのための第１のＴＤＤサブフレーム構成と第２のセルクラスタのための第２のＴＤＤサブフレーム構成とを設定する。一構成では、分離セルのＴＤＤサブフレーム構成は、アップリンクサブフレームよりも多いダウンリンクサブフレームを含み得る。たとえば、図１２を参照すると、第１のセルクラスタ１２０２は「ＤＳＵＵＤ」ＴＤＤサブフレーム構成で構成され得、分離セル（たとえば、セル２）を含む第２のセルクラスタ１２０４は、「ＤＳＵＤＤ」ＴＤＤサブフレーム構成など、ダウンリンクヘビーＴＤＤサブフレーム構成で構成され得る。
【００６６】
[0086]  ステップ１８０８において、ｅＮＢは、第２のＴＤＤサブフレーム構成の１つまたは複数のアップリンクサブフレームと共存する、第１のＴＤＤサブフレーム構成の１つまたは複数のダウンリンクサブフレームを非アンカーサブフレームに指定する。たとえば、図１２を参照すると、ダウンリンクサブフレームとアップリンクサブフレームとが共存する、セル１〜３のサブフレームは、非アンカーサブフレームに指定され得、ダウンリンクサブフレームとアップリンクサブフレームとが共存しない、セル１〜３のサブフレームは、アンカーサブフレームに指定され得る。たとえば、サブフレーム（ＳＦ）「ＳＦ０」、「ＳＦ１」、「ＳＦ２」、および「ＳＦ４」はアンカーサブフレームに指定され得、サブフレーム「ＳＦ３」は非アンカーサブフレームに指定され得る。
【００６７】
[0087]  ステップ１８１０において、ｅＮＢは、分離セルの非アンカーサブフレームの１つまたは複数のダウンリンクサブフレームをＡＢＳとして構成する。たとえば、図１２を参照すると、分離セル（たとえば、セル２）の非アンカーサブフレーム（たとえば、ＳＦ３）のダウンリンクサブフレームはＡＢＳとして構成され得る。
【００６８】
[0088]  ステップ１８１２において、ｅＮＢは、分離セルの１つまたは複数のアップリンクサブフレーム中で１つまたは複数のアップリンク送信をスケジュールすることを控える。ステップ１８１４において、ｅＮＢは、分離セルの１つまたは複数のダウンリンクサブフレーム中で送信することを控える。
【００６９】
[0089]  図１９は、ワイヤレス通信の方法のフローチャート１９００である。本方法はｅＮＢによって実行され得る。ステップ１９０２において、ｅＮＢは、セルクラスタ中の少なくとも１つの分離セルを識別する。セルクラスタは、共通のＴＤＤサブフレーム構成を有する少なくとも２つのセルであり得、ここで、セルクラスタ中の１つのセルとセルクラスタ中の少なくとも別のセルとの間の結合損失が、あらかじめ定義されたしきい値よりも低い。一構成では、少なくとも１つの分離セルは、セルのクラスタ中のセル間の結合損失に基づいて識別され得、ここで、セルクラスタからの分離セルの分離がセルクラスタを少なくとも第１のセルクラスタと第２のセルクラスタとに分割する。たとえば、（１つまたは複数の）分離セルは、しきい値よりも低い他のセルに関する結合損失を有し得る。
【００７０】
[0090]  たとえば、図１３を参照すると、セル２は、セル１、２、および３を含むセルクラスタ中の分離セルとして識別され得、ここで、セル１および３に関するセル２の結合損失はしきい値を下回る。
【００７１】
[0091]  ステップ１９０４において、ｅＮＢは、少なくとも第１のセルクラスタと第２のセルクラスタとを形成するために、少なくとも１つの分離セルに基づいてセルクラスタを分離する。たとえば、セル２は、セル１を含む第１のセルクラスタ１３０２と、セル２および３を含む第２のセルクラスタ１３０４とを形成するために、セル１、２、および３を含むセルクラスタから分離され得る。
【００７２】
[0092]  ステップ１９０６において、ｅＮＢは、第１のセルクラスタのための第１のＴＤＤサブフレーム構成と第２のセルクラスタのための第２のＴＤＤサブフレーム構成とを設定する。一構成では、分離セルのＴＤＤサブフレーム構成は、ダウンリンクサブフレームよりも多いアップリンクサブフレームを含み得る。たとえば、図１３を参照すると、第１のセルクラスタ１３０２は「ＤＳＵＤＤ」ＴＤＤ構成で構成され得、分離セルを含む第２のセルクラスタ１３０４は、「ＤＳＵＵＤ」ＴＤＤサブフレーム構成など、アップリンクヘビーＴＤＤサブフレーム構成で構成され得る。
【００７３】
[0093]  ステップ１９０８において、ｅＮＢは、第２のＴＤＤサブフレーム構成の１つまたは複数のアップリンクサブフレームと共存する、第１のＴＤＤサブフレーム構成の１つまたは複数のアップリンクサブフレームをアンカーサブフレームに指定する。たとえば、図１３を参照すると、アップリンクサブフレームが共存する、セル１〜３のサブフレームは、アンカーサブフレームに指定され得、ダウンリンクサブフレームとアップリンクサブフレームとが共存する、セル１〜３のサブフレームは、非アンカーサブフレームに指定され得る。たとえば、サブフレーム（ＳＦ）「ＳＦ０」、「ＳＦ１」、「ＳＦ２」、および「ＳＦ４」はアンカーサブフレームに指定され得、サブフレーム「ＳＦ３」は非アンカーサブフレームに指定され得る。
【００７４】
[0094]  ステップ１９１０において、ｅＮＢは、分離セルのアンカーサブフレーム中の１つまたは複数のアップリンクサブフレーム中でのみ１つまたは複数のアップリンク送信をスケジュールする。たとえば、アップリンク肯定応答はＵＣＩを介してスケジュールされ得る。
【００７５】
[0095]  ステップ１９１２において、ｅＮＢは、分離セルのアンカーサブフレーム中の１つまたは複数のアップリンクサブフレームに１つまたは複数のアップリンク制御信号（たとえば、肯定応答）をシフトする。たとえば、アップリンク肯定応答はＵＣＩを介してシフトされ得る。
【００７６】
[0096]  図２０は、ワイヤレス通信の方法のフローチャート２０００である。本方法はｅＮＢによって実行され得る。ステップ２００２において、ｅＮＢは、セルクラスタ中の少なくとも１つの分離セルを識別する。セルクラスタは、共通のＴＤＤサブフレーム構成を有する少なくとも２つのセルであり得、ここで、セルクラスタ中の１つのセルとセルクラスタ中の少なくとも別のセルとの間の結合損失が、あらかじめ定義されたしきい値よりも低い。一構成では、少なくとも１つの分離セルは、セルのクラスタ中のセル間の結合損失に基づいて識別され得、ここで、セルクラスタからの分離セルの分離がセルクラスタを少なくとも第１のセルクラスタと第２のセルクラスタとに分割する。たとえば、図１４を参照すると、ピコセル３は、ピコセル１、２、３、５、および６を含むセルクラスタ中の分離セルとして識別され得る。
【００７７】
[0097]  ステップ２００４において、ｅＮＢは、少なくとも第１のセルクラスタと第２のセルクラスタとを形成するために、少なくとも１つの分離セルに基づいてセルクラスタを分離する。たとえば、図１４を参照すると、分離セル（たとえば、ピコセル３）は第１のセルクラスタ中にあり得、ピコセル１、２、５、および６は第２のセルクラスタ中にあり得る。
【００７８】
[0098]  ステップ２００６において、ｅＮＢは、少なくとも１つの分離セルとマクロセルとの間の結合損失がしきい値よりも大きいかどうかを判断する。少なくとも１つの分離セルとマクロセルとの間の結合損失は、セルからのフィードバックを介してネットワーク（たとえば、ｅＮＢ）によって測定および／または受信され得る。
【００７９】
[0099]  ステップ２００８において、ｅＮＢは、少なくとも１つの分離セルとマクロセルとの間の結合損失がしきい値よりも大きいとき、少なくとも１つの分離セルによって使用されるキャリア周波数を変更する。たとえば、図１４を参照すると、分離セル（たとえば、ピコセル３）のキャリアは「Ｆ２」から「Ｆ１」に変更され得る。
【００８０】
[00100]  ステップ２０１０において、ｅＮＢは、第１のセルクラスタのための第１のＴＤＤサブフレーム構成と第２のセルクラスタのための第２のＴＤＤサブフレーム構成とを設定する。たとえば、図１４を参照すると、ピコセル１、２、５、および６は「ＤＳＵＤＤ」ＴＤＤサブフレーム構成で構成され得、分離セル（たとえば、ピコセル３）は「ＤＳＵＵＤ」ＴＤＤサブフレーム構成で構成され得る。
【００８１】
[00101]  ステップ２０１２において、ｅＮＢは、少なくとも１つの分離セルとマクロセルとの間の結合損失がしきい値よりも大きい場合、少なくとも１つの分離セルによって使用されるキャリア周波数を維持する。
【００８２】
[00102]  図２１は、例示的な装置２１０２中の異なるモジュール／手段／構成要素間のデータフローを示す概念データフロー図２１００である。本装置はｅＮＢであり得る。本装置は、セルクラスタ中の少なくとも１つの分離セル（たとえば、セル２１２４）を識別する識別モジュール２１０４を含み得、セルクラスタは、共通のＴＤＤサブフレーム構成を有する少なくとも２つのセルを含み、ここで、セルクラスタ中の１つのセルとセルクラスタ中の少なくとも別のセルとの間の結合損失が、あらかじめ定義されたしきい値よりも低い。本装置は、少なくとも第１のセルクラスタと第２のセルクラスタとを形成するために、少なくとも１つの分離セルに基づいてセルクラスタを分離する、分離モジュール２１０６を含み得る。
【００８３】
[00103]  本装置は、第１のセルクラスタのための第１のＴＤＤサブフレーム構成と第２のセルクラスタのための第２のＴＤＤサブフレーム構成とを設定する構成設定モジュール２１１４を含み得る。一構成では、結合損失がしきい値よりも小さいとき、第１のＴＤＤサブフレーム構成は第１のセルクラスタのために設定され得、第２のＴＤＤサブフレーム構成は第２のセルクラスタのために設定され得る。
【００８４】
[00104]  本装置は、少なくとも１つの分離セルとマクロセルとの間の結合損失がしきい値よりも大きいかどうかを判断する判断モジュール２１０８を含み得る。本装置は、結合損失がしきい値よりも大きいとき、少なくとも１つの分離セルによって使用されるキャリア周波数を変更する、変更モジュール２１１０を含み得る。
【００８５】
[00105]  本装置は、分離セルの１つまたは複数のアップリンクサブフレーム中で１つまたは複数のアップリンク送信をスケジュールすることを控え、分離セルの１つまたは複数のダウンリンクサブフレーム中で送信することを控える、抑制（refraining）モジュール２１１２を含み得る。
【００８６】
[00106]  本装置は、第２のＴＤＤサブフレーム構成の１つまたは複数のアップリンクサブフレームと共存する、第１のＴＤＤサブフレーム構成の１つまたは複数のダウンリンクサブフレームを非アンカーサブフレームに指定する、指定モジュール２１１６を含み得る。指定モジュール２１１６はまた、第２のＴＤＤサブフレーム構成の１つまたは複数のアップリンクサブフレームと共存する、第１のＴＤＤサブフレーム構成の１つまたは複数のアップリンクサブフレームをアンカーサブフレームに指定する。指定モジュール２１１６はまた、第２のＴＤＤサブフレーム構成の１つまたは複数のダウンリンクサブフレームと共存する、第１のＴＤＤサブフレーム構成の１つまたは複数のダウンリンクサブフレームをアンカーサブフレームに指定する。
【００８７】
[00107]  本装置は、分離セルの非アンカーサブフレームの１つまたは複数のダウンリンクサブフレームをＡＢＳとして構成する構成モジュール２１１８を含み得る。
【００８８】
[00108]  本装置は、分離セルのアンカーサブフレーム中の１つまたは複数のアップリンクサブフレーム中でのみ１つまたは複数のアップリンク送信をスケジュールするスケジューリングモジュール２１２０を含み得る。本装置は、分離セルのアンカーサブフレーム中の１つまたは複数のアップリンクサブフレームに１つまたは複数のアップリンク制御信号（たとえば、肯定応答）をシフトするシフトモジュール２１２２を含み得る。シフトモジュール２１２２はまた、分離セルのアンカーサブフレーム中の１つまたは複数のダウンリンクサブフレームに１つまたは複数のダウンリンク制御信号をシフトする。
【００８９】
[00109]  本装置は、図１７〜図２０の上述のフローチャート中のアルゴリズムのステップの各々を実行する追加のモジュールを含み得る。したがって、図１７〜図２０の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９０】
[00110]  図２２は、処理システム２２１４を採用する装置２１０２’のためのハードウェア実装形態の一例を示す図２２００である。処理システム２２１４は、バス２２２４によって概略的に表されるバスアーキテクチャを用いて実装され得る。バス２２２４は、処理システム２２１４の特定の適用例および全体的な設計制約に応じて、任意の数の相互接続バスおよびブリッジを含み得る。バス２２２４は、プロセッサ２２０４と、モジュール２１０４、２１０６、２１０８、２１１０、２１１２、２１１４、２１１６、２１１８、２１２０、および２１２２と、コンピュータ可読媒体２２０６とによって表される、１つまたは複数のプロセッサおよび／またはハードウェアモジュールを含む様々な回路を互いにリンクする。バス２２２４はまた、タイミングソース、周辺機器、電圧調整器、および電力管理回路など、様々な他の回路をリンクし得るが、これらの回路は当技術分野においてよく知られており、したがって、これ以上説明しない。
【００９１】
[00111]  処理システム２２１４はトランシーバ２２１０に結合され得る。トランシーバ２２１０は１つまたは複数のアンテナ２２２０に結合される。トランシーバ２２１０は、伝送媒体を介して様々な他の装置と通信するための手段を与える。処理システム２２１４は、コンピュータ可読媒体２２０６に結合されたプロセッサ２２０４を含む。プロセッサ２２０４は、コンピュータ可読媒体２２０６に記憶されたソフトウェアの実行を含む一般的な処理を担当する。ソフトウェアは、プロセッサ２２０４によって実行されたとき、処理システム２２１４に、特定の装置のための上記で説明した様々な機能を実行させる。コンピュータ可読媒体２２０６はまた、ソフトウェアを実行するときにプロセッサ２２０４によって操作されるデータを記憶するために使用され得る。処理システムは、モジュール２１０４、２１０６、２１０８、２１１０、２１１２、２１１４、２１１６、２１１８、２１２０、および２１２２のうちの少なくとも１つをさらに含む。それらのモジュールは、プロセッサ２２０４中で動作するか、コンピュータ可読媒体２２０６中に常駐する／記憶されたソフトウェアモジュールであるか、プロセッサ２２０４に結合された１つまたは複数のハードウェアモジュールであるか、またはそれらの何らかの組合せであり得る。処理システム２２１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００９２】
[00112]  一構成では、ワイヤレス通信のための装置２１０２／２１０２’は、セルクラスタ中の少なくとも１つの分離セルを識別するための手段のための手段と、セルクラスタが、共通の時分割複信（ＴＤＤ）サブフレーム構成を有する少なくとも２つのセルを備え、ここにおいて、セルクラスタ中の１つのセルとセルクラスタ中の少なくとも別のセルとの間の結合損失が、あらかじめ定義されたしきい値よりも低い、少なくとも第１のセルクラスタと第２のセルクラスタとを形成するために、少なくとも１つの分離セルに基づいてセルクラスタを分離するための手段と、第１のセルクラスタのための第１のＴＤＤサブフレーム構成と第２のセルクラスタのための第２のＴＤＤサブフレーム構成とを設定するための手段と、第２のＴＤＤサブフレーム構成の１つまたは複数のアップリンクサブフレームと共存する、第１のＴＤＤサブフレーム構成の１つまたは複数のダウンリンクサブフレームを非アンカーサブフレームに指定するための手段と、分離セルの非アンカーサブフレームの１つまたは複数のダウンリンクサブフレームをＡＢＳとして構成するための手段と、第２のＴＤＤサブフレーム構成の１つまたは複数のアップリンクサブフレームと共存する、第１のＴＤＤサブフレーム構成の１つまたは複数のアップリンクサブフレームをアンカーサブフレームに指定するための手段と、第２のＴＤＤサブフレーム構成の１つまたは複数のダウンリンクサブフレームと共存する、第１のＴＤＤサブフレーム構成の１つまたは複数のダウンリンクサブフレームをアンカーサブフレームに指定するための手段と、分離セルのアンカーサブフレーム中の１つまたは複数のアップリンクサブフレームに１つまたは複数のアップリンク肯定応答をシフトするための手段と、分離セルのアンカーサブフレーム中の１つまたは複数のダウンリンクサブフレームに１つまたは複数のダウンリンク制御信号をシフトするための手段と、分離セルのアンカーサブフレーム中の１つまたは複数のアップリンクサブフレーム中でのみ１つまたは複数のアップリンク送信をスケジュールするための手段と、少なくとも１つの分離セルとマクロセルとの間の結合損失がしきい値よりも大きいかどうかを判断するための手段と、結合損失がしきい値よりも大きいとき、少なくとも１つの分離セルによって使用されるキャリア周波数を変更するための手段と、分離セルの１つまたは複数のアップリンクサブフレーム中で１つまたは複数のアップリンク送信をスケジュールすることを控えるための手段と、分離セルの１つまたは複数のダウンリンクサブフレーム中で送信することを控えるための手段とを含む。
【００９３】
[00113]  上述の手段は、上述の手段によって具陳された機能を実行するように構成された、装置２１０２、および／または装置２１０２’の処理システム２２１４の上述のモジュールのうちの１つまたは複数であり得る。上記で説明したように、処理システム２２１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【００９４】
[00114]  開示したプロセスにおけるステップの特定の順序または階層は、例示的な手法の一例であることを理解されたい。設計上の選好に基づいて、プロセスにおけるステップの特定の順序または階層は再構成され得ることを理解されたい。さらに、いくつかのステップは組み合わせられるかまたは省略され得る。
【００９５】
［００１１５］  添付の方法クレームは、様々なステップの要素を例示的な順序で提示したものであり、提示された特定の順序または階層に限定されるものではない。以上の説明は、本明細書で説明した様々な態様を当業者が実施できるようにするために与えたものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に本件出願当初の特許請求の範囲に記載された発明を付記する。
［１］  セルクラスタ中の少なくとも１つの分離セルを識別することと、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離することと、前記第１のセルクラスタのための第１のＴＤＤサブフレーム構成と前記第２のセルクラスタのための第２のＴＤＤサブフレーム構成とを設定することとを備える、ワイヤレス通信の方法。
［２］  前記少なくとも１つの分離セルを前記識別することが、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［１］に記載の方法。
［３］  前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定することと、前記分離セルの前記非アンカーサブフレームの前記１つまたは複数のダウンリンクサブフレームをオールモストブランクサブフレーム（ＡＢＳ）として構成することとをさらに備える、［１］に記載の方法。
［４］  前記分離セルの前記ＴＤＤサブフレーム構成が、アップリンクサブフレームよりも多いダウンリンクサブフレームを備える、［３］に記載の方法。
［５］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定することと、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトすることとをさらに備える、［１］に記載の方法。
［６］  前記分離セルの前記ＴＤＤサブフレーム構成が、ダウンリンクサブフレームよりも多いアップリンクサブフレームを備える、［５］に記載の方法。
［７］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記分離セルへの１つまたは複数のアップリンク送信をスケジュールすることと、前記１つまたは複数のアップリンク送信が前記アンカーサブフレームの前記１つまたは複数のアップリンクサブフレームに限定されるをさらに備える、［１］に記載の方法。
［８］  前記少なくとも１つの分離セルとマクロセルとの間の結合損失がしきい値よりも大きいかどうかを判断することと、前記結合損失が前記しきい値よりも大きいとき、前記少なくとも１つの分離セルによって使用されるキャリア周波数を変更することとをさらに備える、［１］に記載の方法。
［９］  前記結合損失が前記しきい値よりも大きいとき、前記第１のＴＤＤサブフレーム構成が前記第１のセルクラスタのために設定され、前記第２のＴＤＤサブフレーム構成が前記第２のセルクラスタのために設定される、［８］に記載の方法。
［１０］  前記分離セルの１つまたは複数のアップリンクサブフレーム中で１つまたは複数のアップリンク送信をスケジュールすることを控えることと、前記分離セルの１つまたは複数のダウンリンクサブフレーム中で送信することを控えることとをさらに備える、［１］に記載の方法。
［１１］  セルクラスタ中の少なくとも１つの分離セルを識別するための手段と、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離するための手段と、前記第１のセルクラスタのための第１のＴＤＤサブフレーム構成と前記第２のセルクラスタのための第２のＴＤＤサブフレーム構成とを設定するための手段とを備える、ワイヤレス通信のための装置。
［１２］  前記少なくとも１つの分離セルを識別するための前記手段が、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［１１］に記載の装置。
［１３］  前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定するための手段と、前記分離セルの前記非アンカーサブフレームの前記１つまたは複数のダウンリンクサブフレームをオールモストブランクサブフレーム（ＡＢＳ）として構成するための手段とをさらに備える、［１１］に記載の装置。
［１４］  前記分離セルの前記ＴＤＤサブフレーム構成が、アップリンクサブフレームよりも多いダウンリンクサブフレームを備える、［１３］に記載の装置。
［１５］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定するための手段と、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定するための手段と、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトするための手段とをさらに備える、［１１］に記載の装置。
［１６］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定するための手段と、前記分離セルへの１つまたは複数のアップリンク送信をスケジュールするための手段と、前記１つまたは複数のアップリンク送信が前記アンカーサブフレームの前記１つまたは複数のアップリンクサブフレームに限定されるをさらに備える、［１１］に記載の装置。
［１７］  前記分離セルの前記ＴＤＤサブフレーム構成が、ダウンリンクサブフレームよりも多いアップリンクサブフレームを備える、［１６］に記載の装置。
［１８］  前記少なくとも１つの分離セルとマクロセルとの間の結合損失がしきい値よりも大きいかどうかを判断するための手段と、前記結合損失が前記しきい値よりも大きいとき、前記少なくとも１つの分離セルによって使用されるキャリア周波数を変更するための手段とをさらに備える、［１１］に記載の装置。
［１９］  前記結合損失が前記しきい値よりも大きいとき、前記第１のＴＤＤサブフレーム構成が前記第１のセルクラスタのために設定され、前記第２のＴＤＤサブフレーム構成が前記第２のセルクラスタのために設定される、［１８］に記載の装置。
［２０］  前記分離セルの１つまたは複数のアップリンクサブフレーム中で１つまたは複数のアップリンク送信をスケジュールすることを控えるための手段と、前記分離セルの１つまたは複数のダウンリンクサブフレーム中で送信することを控えるための手段とをさらに備える、［１１］に記載の装置。
［２１］  セルクラスタ中の少なくとも１つの分離セルを識別することと、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離することと、前記第１のセルクラスタのための第１のＴＤＤサブフレーム構成と前記第２のセルクラスタのための第２のＴＤＤサブフレーム構成とを設定することとを行うように構成された処理システムを備える、ワイヤレス通信のための装置。
［２２］  前記少なくとも１つの分離セルを前記識別することが、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［２１］に記載の装置。
［２３］  前記処理システムが、前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定することと、前記分離セルの前記非アンカーサブフレームの前記１つまたは複数のダウンリンクサブフレームをオールモストブランクサブフレーム（ＡＢＳ）として構成することとを行うようにさらに構成された、［２１］に記載の装置。
［２４］  前記分離セルの前記ＴＤＤサブフレーム構成が、アップリンクサブフレームよりも多いダウンリンクサブフレームを備える、［２３］に記載の装置。
［２５］  前記処理システムが、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定することと、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトすることとを行うようにさらに構成された、［２１］に記載の装置。
［２６］  前記処理システムは、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記分離セルへの１つまたは複数のアップリンク送信をスケジュールすることと、前記１つまたは複数のアップリンク送信が前記アンカーサブフレームの前記１つまたは複数のアップリンクサブフレームに限定されるを行うようにさらに構成された、［２１］に記載の装置。
［２７］  前記分離セルの前記ＴＤＤサブフレーム構成が、ダウンリンクサブフレームよりも多いアップリンクサブフレームを備える、［２６］に記載の装置。
［２８］  前記処理システムは、前記少なくとも１つの分離セルとマクロセルとの間の結合損失がしきい値よりも大きいかどうかを判断することと、前記結合損失が前記しきい値よりも大きいとき、前記少なくとも１つの分離セルによって使用されるキャリア周波数を変更することとを行うようにさらに構成された、［２１］に記載の装置。
［２９］  前記結合損失が前記しきい値よりも大きいとき、前記第１のＴＤＤサブフレーム構成が前記第１のセルクラスタのために設定され、前記第２のＴＤＤサブフレーム構成が前記第２のセルクラスタのために設定される、［２８］に記載の装置。
［３０］  前記処理システムが、前記分離セルの１つまたは複数のアップリンクサブフレーム中で１つまたは複数のアップリンク送信をスケジュールすることを控えることと、前記分離セルの１つまたは複数のダウンリンクサブフレーム中で送信することを控えることとを行うようにさらに構成された、［２１］に記載の装置。
［３１］  セルクラスタ中の少なくとも１つの分離セルを識別することと、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離することと、前記第１のセルクラスタのための第１のＴＤＤサブフレーム構成と前記第２のセルクラスタのための第２のＴＤＤサブフレーム構成とを設定することとを行うためのコードを備えるコンピュータ可読媒体を備える、コンピュータプログラム製品。
［３２］  前記少なくとも１つの分離セルを前記識別することが、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［３１］に記載のコンピュータプログラム製品。
［３３］  前記コンピュータ可読媒体が、前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定することと、前記分離セルの前記非アンカーサブフレームの前記１つまたは複数のダウンリンクサブフレームをオールモストブランクサブフレーム（ＡＢＳ）として構成することとを行うためのコードをさらに備える、［３１］に記載のコンピュータプログラム製品。
［３４］  前記分離セルの前記ＴＤＤサブフレーム構成が、アップリンクサブフレームよりも多いダウンリンクサブフレームを備える、［３３］に記載のコンピュータプログラム製品。
［３５］  前記コンピュータ可読媒体が、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定することと、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトすることとを行うためのコードをさらに備える、［３１］に記載のコンピュータプログラム製品。
［３６］  前記コンピュータ可読媒体は、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記分離セルへの１つまたは複数のアップリンク送信をスケジュールすることと、前記１つまたは複数のアップリンク送信が前記アンカーサブフレームの前記１つまたは複数のアップリンクサブフレームに限定されるを行うためのコードをさらに備える、［３１］に記載のコンピュータプログラム製品。
［３７］  前記分離セルの前記ＴＤＤサブフレーム構成が、ダウンリンクサブフレームよりも多いアップリンクサブフレームを備える、［３１］に記載のコンピュータプログラム製品。
［３８］  前記コンピュータ可読媒体は、前記少なくとも１つの分離セルとマクロセルとの間の結合損失がしきい値よりも大きいかどうかを判断することと、前記結合損失が前記しきい値よりも大きいとき、前記少なくとも１つの分離セルによって使用されるキャリア周波数を変更することとを行うためのコードをさらに備える、［３１］に記載のコンピュータプログラム製品。
［３９］  前記結合損失が前記しきい値よりも低いとき、前記第１のＴＤＤサブフレーム構成が前記第１のセルクラスタのために設定され、前記第２のＴＤＤサブフレーム構成が前記第２のセルクラスタのために設定される、［３８］に記載のコンピュータプログラム製品。
［４０］  前記コンピュータ可読媒体が、前記分離セルの１つまたは複数のアップリンクサブフレーム中で１つまたは複数のアップリンク送信をスケジュールすることを控えることと、前記分離セルの１つまたは複数のダウンリンクサブフレーム中で送信することを控えることとを行うためのコードをさらに備える、［３１］に記載のコンピュータプログラム製品。
【図１】
0006434087.tif 000004
【図２】
0006434087.tif 000005
【図３】
0006434087.tif 000006
【図４】
0006434087.tif 000007
【図５】
0006434087.tif 000008
【図６】
0006434087.tif 000009
【図７】
0006434087.tif 000010
【図８】
0006434087.tif 000011
【図９】
0006434087.tif 000012
【図１０】
0006434087.tif 000013
【図１１】
0006434087.tif 000014
【図１２】
0006434087.tif 000015
【図１３】
0006434087.tif 000016
【図１４】
0006434087.tif 000017
【図１５】
0006434087.tif 000018
【図１６】
0006434087.tif 000019
【図１７】
0006434087.tif 000020
【図１８】
0006434087.tif 000021
【図１９】
0006434087.tif 000022
【図２０】
0006434087.tif 000023
【図２１】
0006434087.tif 000024
【図２２】
0006434087.tif 000025